(57)【特許請求の範囲】
【請求項１】
（１）キャスターを備えた下部フレーム構造体と、
（２）該下部フレーム構造体の左端部に、下端部が枢支された左サイド垂直フレーム構造体と、
（３）前記下部フレーム構造体の右端部に、下端部が枢支された右サイド垂直フレーム構造体と、
（４）左右の両端近傍部分が、それぞれ、上記左サイド垂直フレーム構造体及び右サイド垂直フレーム構造体の各々の上端部に着脱自在に連結可能であり、かつ、物体を上側面に載置可能である上部フレーム構造体と、
（５）前記下部フレーム構造体と前記左サイド垂直フレーム構造体との間に掛けられた第1のアームと、
（６）前記下部フレーム構造体と前記右サイド垂直フレーム構造体との間に掛けられた第２のアームと、
を備え、
かつ、該第1のアーム及び第2のアームにより、前記左サイド垂直フレーム構造体及び右サイド垂直フレーム構造体が、それぞれ前記下部フレーム構造体に対して垂直に保持されるとともに、
更に、前記上部フレーム構造体を前記左サイド垂直フレーム構造体及び右サイド垂直フレーム構造体の各上端部から取り外し、かつ、前記第１または第２のアームを外したときに、このアームの外された垂直フレーム構造体を、前記枢支された位置を中心にして回転させることにより、前記下部フレーム構造体の位置まで倒伏可能であることを特徴とする載置台。
【請求項２】
請求項１に記載の載置台において、前記上部フレーム構造体と前記左サイド垂直フレーム構造体との連結を解除するための第1の解除手段と、前記上部フレーム構造体と前記右サイド垂直フレーム構造体との連結を解除するための第２の解除手段とを備えることを特徴とする載置台。
【請求項３】
請求項１または２に記載の載置台において、前記上部フレーム構造体は、その上側面に、載置された物体を係止するための係合構造を備えていることを特長とする載置台。
【発明の詳細な説明】
【技術分野】
【０００１】
この発明は、大量の提示物を所望の空間的レイアウトで提示するための提示装置に使用して好適な載置台に関するものである。
【背景技術】
【０００２】
本願出願人は、特許文献１に示されるように、大量の提示物を所望の空間的レイアウトで提示するための提示装置に関する発明を既に出願している。
かかる発明による提示装置は、例えば、葬祭場、婚礼式場、或いはその他の各種式典等において、花祭壇等を構築する場合に使用して好適なものである。そして、その構造は、多数のモジュールによって構成されている点に特徴を有し、これにより、表現しようとする所望の空間的レイアウトが複雑かつ大規模なものであっても、会場における構築作業は極めて簡略化され、また、大量の提示物として花を提示する場合には、その花のコストも大幅に低減できるように構成されている。
【０００３】
次に、上記提示装置の構造を簡単に説明する。
かかる提示装置においては、図１０或いは図１１に示すモジュールを多数個用いる。なお、これらの図は、実際のモジュールを単純化して示している。
図１０のモジュールは、図に示されるように、台状に構成されたフレーム構造体を成し、このフレーム構造体の上面部分は、後端部が前端部よりも高く設定されて斜面状に形成されており、この斜面部分に５本のフレーム３０５，３０６，３１３，３０８、及び３１１が水平に架けられている。
【０００４】
そして、提示したい所望の空間的レイアウトに応じて、所望の水平フレーム（例えば３１３）上の所望水平位置に位置決め装置３０９を設置し、この位置決め装置３０９において所望の高さにシャフト３１２を立設するとともに、このシャフトの上部に保持装置３１０を取り付ける。保持装置３１０は６個の保持部を備え、そのうちの所望の保持部において所望の提示物を提示する。
なお、この図では、モジュールにただ１個の位置決め装置・シャフト・保持装置が設けられているだけであるが、実際には、表示するレイアウトに従って、モジュールの５本の水平フレームのそれぞれに、所望の個数の位置決め装置・シャフト・保持装置を設置することにより、所望の多数個の提示物を所望の空間的レイアウトで提示することができる。例えば、提示装置により花祭壇を構成する場合には、通常、モジュールによって大量の花が稠密に提示される。このため、前述の各水平フレームには多数の位置決め装置が設置されて、多数の保持装置が稠密に配置されるとともに、各保持装置の全ての保持部に所望の花が設けられることになる。
【０００５】
次に、位置決め装置、シャフト及び保持装置の詳細を図１２に拡大して示す。この図において、シャフト３１２は中実構造のプラスチックで構成され、その側面には多数のクリック穴３１６が形成されている。そして、３１５，３２１，３２２，３１１，３１４等の部品からなる位置決め装置もプラスチックを多用して構成され、シャフト３１２の所望の高さが保持されるように、位置決め装置内のクリック係合機構において所定のクリック穴を係合させる。
【０００６】
なお、この図は、提示物として花を提示するようにした例を示し、保持装置の６つの保持部のうちの所望の１つの保持部にプラスチック製花瓶３２３を装填し、この花瓶に花を挿すことにより花を提示する。また、この保持装置全体もプラスチックを多用して構成されている。
【０００７】
また、モジュールを構成するフレームは、いずれも軽金属から成り、図１２における水平フレーム３１３と同じ断面構造を備えたパイプによって構成されている。
【０００８】
また、図１１に示すモジュールは、その上面部分を階段状に構成した例であり、その上面部分に設けられる水平フレーム４が、図１０のモジュールとは異なり前後方向に架けられている。なお、この図における位置決め装置５、シャフト３及び保持装置２は、図１２に示されるものと同様のものを用いることができる。
参考までに、図１１のモジュールにより花祭壇を構成した場合の1例を図１３に示す。この図は、花祭壇を横方向から見た断面図を簡略化して示したものであり、階段状に配置された載置台９９９の上にモジュール１を載置して花祭壇を構成している。
【０００９】
以上に説明した提示装置では、モジュールの基本構造を軽金属製のパイプフレームで構成するとともに、位置決め装置、シャフト及び保持装置を主にプラスチックによって構成することにより、モジュール全体の重量を軽量化している。従って、モジュールの搬送・移動作業等が簡単にできる。
【特許文献１】特開２００２−１９３９５号公報
【発明の開示】
【発明が解決しようとする課題】
【００１０】
上述の従来の提示装置では、モジュールの重量を軽量化することにより、モジュールの運搬する作業、及び祭壇等を構築する作業を容易にしているが、大規模な提示を行う場合には、モジュール及び載置台の個数も、それに応じて多くなり、会場内での構築作業に多くの労力と時間を要することになる。また、これらのモジュール及び載置台を工場から会場まで搬送するのにも多くの労力と時間を要する。
【００１１】
更に、このように大量のモジュールと載置台を会場に搬送するためには、積載容量の大きい大型の、もしくは多数の搬送車両が必要となり、搬送コストも大幅に増大する。
【００１２】
本願は、かかる点に鑑み、極めて簡単にモジュール及び載置台を移動することができるだけでなく、車両により搬送する際の積載量も大幅に低減できるように構成した載置台を提供するものである。
【課題を解決するための手段】
【００１３】
本発明による載置台は、全体をフレーム構造で軽量に構成されるとともに、その下部フレーム構造体の下部にキャスターを備える。そして、この下部フレーム構造体の左右の端部に、それぞれの下端部が枢支された左サイド垂直フレーム構造体及び右サイド垂直フレーム構造体と、左右の両端近傍部分が、それぞれ左サイド垂直フレーム構造体及び右サイド垂直フレーム構造体の上端部に着脱自在に連結され、かつ、物体を載置可能である上部フレーム構造体とを備えている。また、下部フレーム構造体と左サイド垂直フレーム構造体との間に掛けられた第1のアームと、下部フレーム構造体と右サイド垂直フレーム構造体との間に掛けられた第２のアームとを備え、これらのアームにより、左サイド垂直フレーム構造体及び右サイド垂直フレーム構造体が、下部フレーム構造体に対して垂直に保持される。
【００１４】
更に、上部フレーム構造体と左サイド垂直フレーム構造体との連結を解除するための第1の解除手段と、上部フレーム構造体と右サイド垂直フレーム構造体との連結を解除するための第２の解除手段とを備えている。
また、上部フレーム構造体の上側面には、載置物体を係止するための係合構造を有する。
【発明の効果】
【００１５】
提示用のモジュール及び載置台を工場から会場まで搬送する作業、及び会場における提示を行うための構築作業が従来よりも簡単迅速に実行できる。
載置台を車両により搬送する際の積載量を大幅に低減でき、搬送コストを節減できる。
【発明を実施するための最良の形態】
【００１６】
載置台全体をフレーム構造で構成し、このフレーム構造は、キャスターを備えた下部フレーム構造体と、下部フレーム構造体の左右の端部に、それぞれの下端部が枢支された左サイド垂直フレーム構造体及び右サイド垂直フレーム構造体と、左右の両端近傍部分が、それぞれ左サイド垂直フレーム構造体及び右サイド垂直フレーム構造体の上端部に着脱自在に装着される上部フレーム構造体とから構成される。そして、下部フレーム構造体の前端の水平フレームと左サイド垂直フレーム構造体との間に掛けられたアームにより、左サイド垂直フレーム構造体は下部フレーム構造体に対して垂直に保持され、かつ、下部フレーム構造体の後端の水平フレームと右サイド垂直フレーム構造体との間に掛けられたアームにより、右サイド垂直フレーム構造体は下部フレーム構造体に対して垂直に保持される。
【００１７】
更に、上部フレーム構造体と左サイド垂直フレーム構造体との連結を解除するためのレバーと、上部フレーム構造体と右サイド垂直フレーム構造体との連結を解除するためレバーとを備える。また、上部フレーム構造体の前端及び後端の各水平フレームの上側面に、載置物体係止用の係合溝を設ける。
【実施例】
【００１８】
本発明による載置台の１実施例について説明する。
かかる実施例の斜視図を図１に示す。この載置台は、図に示されるように、４２２〜４２６からなる下部フレーム構造体、４０１〜４０５及び４０７からなる上部フレーム構造体、垂直支柱フレーム４１５及び４１６並びに水平フレーム４１７〜４１９からなる右サイドの垂直フレーム構造体、垂直支柱フレーム４１０及び４１１並びに水平フレーム４１２〜４１４からなる左サイドの垂直フレーム構造体等から構成されている。そして、上記の上部フレーム構造体は、後述するように溝付き角フレームから構成されるとともに、各垂直フレーム構造体及び下部フレーム構造体は、いずれもパイプフレームから構成されている。
【００１９】
本実施例の載置台は、このように全体を軽量なフレーム素材で構成することにより、極力軽量化されている。なお、この載置台は、その上部フレーム構造体上に３個のモジュールを載置できるように構成されているが、下部フレーム構造体の下部に４個のキャスターを備えているので、３個のモジュールを搭載した状態のままでも会場内等を極めて容易に移動できる。なお、この図において、４２０及び４２１は垂直フレーム構造体を垂直に保持するための可動アーム、４０８及び４０９は載置台を移動させるときに使用する取っ手である。
【００２０】
参考までに、この載置台に３個のモジュールA,B,Cを搭載した状態を図２に示す。この図では、搭載された3個のモジュールを、二点鎖線により簡略化して表示している。
この載置台とモジュールを用いて、例えば、花祭壇を構築する場合は、高さの異なる多種類の載置台を用いて、これらの載置台を階段状に配置する。
【００２１】
花祭壇を構成したときの具体例を図３に示す。この図は、花祭壇を横方向から見た図であり、３種類の載置台４００、５００及び６００のそれぞれの高さは、それぞれに搭載されたモジュールの上面部分が共通な１つの斜面を形成するように設定されている。これにより、花瓶に挿された花の上端部の成す包絡面（この図における一点鎖線の曲線）を、滑らかな曲面状に表現することが容易にできる。なお、この図では、花祭壇を構成する花については、花祭壇の最後部の保持装置と最前部の保持装置に設けられた花（４４３及び６３３）のみを表示しており、その外の花は省略している。
【００２２】
ここで、モジュールの保持装置の保持部に装填する花瓶として、図４の（イ）〜（ホ）に示すように、高さの異なる複数種類の花瓶を用意すれば、花の提示される高さを微妙に変化させることが簡単にできるので、より精妙な包絡面を表現できる。なお、図３における４３４は床を表している。
【００２３】
なお、前述の載置台の上部フレーム構造体の水平フレーム４０１及び４０２の上側面には溝（後述の図７における４３１及び４３２）が形成されており、一方、この載置台に載置されるモジュールは、図５に示すように、その下部フレーム構造体の前部及び後部の水平フレームに係合片３３１〜３３４が固定されている。そして、モジュールを載置台に搭載する際には、モジュールの係合片３３１〜３３４を、上記水平フレーム４０１及び４０２の溝に係合させることで、安定な搭載状態が得られるようにしている。
この係合させるための操作を、図６により説明する（係合構造の詳細については、後述の図８において説明する。）。
【００２４】
図６は、モジュールに取り付けられている係合片３３４及び３３１を、載置台の水平フレーム４０１及び４０２の各上側面の溝４３１及び４３２（図７における４３１及び４３２を参照）に係合させる動作を、斜め下方から見た図である。この図において、モジュールを一点鎖線の矢印の方向に移動して、係合片３３４及び３３１をそれぞれ溝に嵌入させ、更に溝内を摺動させて係合片３３３及び３３２（図５参照）も溝に嵌入させて、モジュールを載置台に搭載する。
【００２５】
本実施例では、以上のような構造を採ることにより、１つの載置台に３個のモジュールを搭載したまま移動することが簡単にできるので、移動効率が大幅に向上し、会場における祭壇等の構築作業に要する労力が著しく軽減される。なお、載置台の上記水平フレーム４０２及び４０１の長さを変更して、モジュールを２個、或るいは４個搭載するように載置台を構成してもよい。
【００２６】
また、本発明による載置台は、簡単に分解・折りたたみ及び組み立てができるように構成されているので、載置台を車両により搬送する時、或いは工場内等に保管する時には、載置台を折りたたむことにより収納容積を格段に少なくすることができる。次に、この分解・折りたたみの操作について説明する。
【００２７】
載置台を分解する際は、上部フレーム構造体を両サイドの垂直支柱フレームから外す。上部フレーム構造体を、垂直支柱フレーム４１６及び４１５から外す場合の操作を、図７により説明する。
載置台を組み立てた状態では、載置台の最上部の水平フレーム４０１及び４０２の各下側面に取り付けられている挿入ピン４５４及び４５５が、垂直支柱フレーム４１５及び４１６の上部の挿入孔４５６及び４５７にそれぞれ挿入されて、これらの垂直支柱フレームと係合ロックしている。
【００２８】
ここで、垂直支柱フレームの上部のレバー４５２及び４５３を、それぞれ図の→の方向に引くと、この係合ロック状態が解除されて水平フレーム４０１及び４０２を垂直支柱フレームから簡単に外すことができる。なお、この図における４７４及び４７５は、挿入ピンの先端部近傍に形成された円環状の係合溝である。
【００２９】
上記の水平フレームと垂直支柱フレームとの係合機構を図８により詳細に説明する。
この図において、実線で示されている構造は、図６において、垂直支柱フレーム４１６の中心軸とこの垂直支柱フレームの上部のレバー４５３の中心軸とを含む平面によって載置台を切断したときの係合機構部分付近の断面図を示す。
【００３０】
この図において、垂直方向の主部と水平方向の凸部からなる略Ｔ字型の終端部材４５１が、固定用ピン４５７により垂直支柱フレーム４１６の上端に取り付けられている。また、前述のレバー４５３には係合ピン４６１が固定されている。この係合ピンは、前述の凸部の中心軸方向に形成された挿入孔に挿入され、係合ピンの先端は、スプリング４３３によって常に前述の主部の中心方向へ附勢されている。なお、この図における４６０は、ボルト４６２によって上述の凸部の端部に取り付けられた蓋体である。
【００３１】
一方、載置台の水平フレーム４０７の下側部の溝内部には、変形ナット４５８が嵌装され、ボルト４５６を、挿入ピン４５５を介挿して変形ナット４５８に締め付けることにより、挿入ピン４５５を水平フレーム４０７に固定している。この挿入ピン４５５を、図のように終端部材４５１の挿入孔に深く挿入すると、前述の係合ピン４６１の先端部が、挿入ピン４５５の係合溝４７５に係合しロックされる。
【００３２】
そして、レバー４５３を、スプリング４３３の弾性力に抗して図の→の方向へ引けば、係合ピン４６１の先端部と挿入ピン４５５の係合溝４７５との係合状態が解除され、挿入ピンを挿入孔から引き抜くことができる。
なお、この図の上部に記された二点鎖線は、載置台にモジュールを搭載したときの、モジュールの水平フレーム３３８（図６における水平フレーム３３８参照）の断面と、この水平フレームの下側面に固定された係合片３３３の取り付け構造を示すものであり、ボルト３５１を、この係合片３３３及びワッシャ３５０を介して、水平フレーム３３８へ貫通させることにより、係合片３３３が水平フレーム３３８に固定されている。
【００３３】
本実施例では、以上のように載置台の上部フレーム構造体を垂直支柱フレームから外した後、更に、載置台の両サイドの垂直フレーム構造体を折りたたむことができるように構成している。次に、この構造について説明する。
右サイドの垂直フレーム構造体を折りたたむ際の動作を、図９により説明する。この図において、載置台の下部フレーム構造体の水平フレーム４２２及び４２３の端部には、これらの水平フレームと垂直支柱フレーム４１６及び４１５とを連結するためのジョイント４４１及び４４２が設けられている。一方、垂直支柱フレーム４１６及び４１５は、これらのジョイントに回転可能に枢支されている。
【００３４】
そして、載置台を組み立てるときには、垂直フレーム構造体を直立させて、可動アーム４２０の端部の孔を垂直支柱フレーム４１５の留めピン４４３に掛けることにより、垂直フレーム構造体が垂直に保持される（図１参照）。また、垂直フレーム構造体を折りたたむ際は、図のように、可動アームの孔を留めピン４４３から外して可動アームの切欠部を水平フレーム４２２の留めピン４４４に掛け、垂直フレーム構造体を水平位置まで倒す。左サイドの垂直フレーム構造体も同様にして折り畳むことができる。
このように、本実施例では、載置台の分解・折り畳み及び組み立てを、極めて簡単に行うことができる。
【００３５】
なお、載置台における可動アームの設置位置としては、図１に示される構成に代え、水平フレーム４２３と垂直支柱フレーム４１６との間、及び水平フレーム４２２と垂直支柱フレーム４１０との間に設けるようにしてもよい。或いは、図１に示される構成に加え、更に、上述のように2本の可動アームを付設する構成とすれば、垂直フレーム構造体をより安定に垂直保持できる。
【００３６】
また、図１の載置台では、可動アームの一端が下部フレーム構造体の水平フレームに枢支されているが、これに代え、垂直フレーム構造体の垂直支柱フレーム或いは水平フレーム（例えば、水平フレーム４１９及び４１４等）に枢支される構成を用い、かつ、可動アームの他端の穴を下部フレーム構造体の水平フレーム（４２２及び４２３）の留めピンに掛ける構造を採用してもよい。
【００３７】
以上に説明した実施例では、モジュールを上部フレーム構造体に搭載した状態のままで、載置台の上部フレーム構造体を垂直支柱フレームから取り外す或いは取り付けるということができるので、例えば、工場から会場へ花祭壇を搬送する場合には、載置台の垂直フレーム構造体を前記のように折り畳んだ状態で搬送するとともに、モジュールを載置台の上部フレーム構造体に搭載したままの状態で搬送することができる。このような搬送方法を採れば、会場内で花祭壇等を構築する際に、モジュールを載置台の上部フレーム構造体に搭載する作業は不要になる。
【００３８】
そして、会場内では、折り畳まれた垂直フレーム構造体を組み立ててから、その上に、モジュールが搭載されている上部フレーム構造体を装着し、所定の配置位置まで載置台を移動するだけでよいから、会場内における作業時間が大幅に短縮化される。
【図面の簡単な説明】
【００３９】
【図１】本発明による載置台の斜視図
【図２】同載置台にモジュールを搭載した図
【図３】同載置台を用いて花祭壇を構成した１例を示す図
【図４】モジュールの保持装置に装填する花瓶の例を示す図
【図５】載置台に載置されるモジュールの１例を示す図
【図６】載置台にモジュールを搭載する方法の説明図
【図７】載置台を分解する操作の説明図
【図８】載置台の上部フレーム構造体と垂直フレーム構造体との連結部の断面図
【図９】載置台の垂直フレーム構造体を折り畳む操作の説明図
【図１０】従来の提示装置に使用するモジュールの１例を示す図
【図１１】同モジュールの他の例を示す図
【図１２】同モジュールの位置決め装置、シャフト及び保持装置の拡大図
【図１３】従来の提示装置により花祭壇を構成した例の側面図
【符号の説明】
【００４０】
１・・モジュール、２・・保持装置、３，３１２・・シャフト、
４，３１３・・水平フレーム、３２３・・花瓶、
４００，５００，６００，９９９・・載置台、
４１０，４１１，４１５，４１６・・垂直支持フレーム、
４２０，４２１・・アーム、４２７〜４３０・・キャスター、
４５２，４５３・・レバー、４５４，４５５・・挿入ピン、
４５７・・係合溝、４６１・・係合ピン、
【図１】
0004625992.tif 000002
【図２】
0004625992.tif 000003
【図３】
0004625992.tif 000004
【図４】
0004625992.tif 000005
【図５】
0004625992.tif 000006
【図６】
0004625992.tif 000007
【図７】
0004625992.tif 000008
【図８】
0004625992.tif 000009
【図９】
0004625992.tif 000010
【図１０】
0004625992.tif 000011
【図１１】
0004625992.tif 000012
【図１２】
0004625992.tif 000013
【図１３】
0004625992.tif 000014